(57)【特許請求の範囲】
【請求項１】
扇型胴部材の側部を重ね接着した筒状胴部と底部とから成る紙カップの、該胴部の表面側に位置する側辺に、先端に折線を介して接着片を有する取手が起伏自在に連設し、該取手は、内部に２本の縦折線と、該縦折線の縦中間部に位置する２本の横折線と、前記取手の各角部から、前記横折線に伸びる４本の傾斜折線を有し、該取手が、前記胴部の前記取手が連設する側の表面に折り重ねた状態で、前記接着片が点状に塗布した接着剤により前記胴部に剥離自在に接着しており、使用する場合に、前記接着片をカップの胴部材から剥がし、前記取手を前記折線を介して立体形状に組立可能であることを特徴とする取手付紙カップ。
【請求項２】
胴部材の側部同士を、重ね接着して筒状胴部を形成し、該胴部下部に底部材を取り付ける工程を有する紙カップの製造方法において、扇型胴部材の一方側辺に、先端に折線を介して接着片を有する取手であって、該取手は、内部に２本の縦折線と、該縦折線の縦中間部に位置する２本の横折線と、前記取手の各角部から、前記横折線に伸びる４本の傾斜折線を有する取手を連設した取手付胴部材を打ち抜き形成し、前記取手を前記胴部材表面に折り重ね、前記接着片を点状に塗布した接着剤により前記胴部材に剥離自在に接着し、使用する場合に、前記接着片をカップの胴部材から剥がし、前記取手を前記折線を介して立体形状に組立可能となし、次いで前記取手付胴部材の側部同士を、前記取手が連設する側部が表面に位置するように重ね接着して筒状胴部を形成することを特徴とする取手付紙カップの製造方法。
【発明の詳細な説明】
【０００１】
【発明の属する技術分野】
本発明は紙カップに取手を設け、ハンドリング性の向上、及び断熱機能を付加した紙カップに関するもので、特に取手の安全性、製造の容易性を向上させたものである。
【０００２】
【従来の技術】
本発明が対象とする紙カップに取手を設けた紙カップは各種構造のものが公知となっている。これら公知の紙カップの内、取手をカップとは別部材として設け接着しているものがあるが、これは、使用中に取手が取れてしまう可能性がありるため好ましくない。取手付紙カップは熱湯を入れることが多いため、この欠点は致命的である。この問題点を解消したものとして紙カップの胴部のブランクと一体に取手を設けたものがある。例えば実開昭５６−１６８９７８号がある。
【０００３】
【発明が解決しようとする課題】
しかし、前記出願では、取手がカップ胴部の側辺の延長線上にそのまま突出して形成される。この構成では、カップ製造時に、胴部材ブランクの取手が連設する側の側部を、取手の部分を除いた内側部分で、胴部材の他側部と重ね接着しなければならないため、通常のカップ製造方法で作ることができず、装置も特別な機構が必要となる。また、できあがったカップも、取手は単にカップの側辺から突出しているだけであるため、カップを積み重ね収納する時点で、他のカップに引っかかってしまい作業効率を低下させる可能性がある。これらの点を考慮すると、取手の巾は狭い物におのずと限定されてしまい、使用者にとっても手で持ちにくい物となってしまう。
【０００４】
そこで、本発明は、取手をカップの胴部材と一体に設ける構成としながら、通常の胴部成形方法をそのまま使用することができる取手付紙カップを提示する。また、本発明取手付紙カップは取手の巾を広く設定することが可能であり、これにより、取手を立体構造に組み立て、より持ちやすい構造とすることも可能とする。さらに、取手は使用者が意図的にカップから剥がさないかぎり、カップの胴部表面に重なっているため、積重収納も通常のカップと同様に行える。
【０００５】
【課題を解決するための手段】
本発明は、扇型胴部材の側部を重ね接着した筒状胴部と底部とから成る紙カップの、該胴部の表面側に位置する側辺に、先端に折線を介して接着片を有する取手が起伏自在に連設し、該取手は、内部に２本の縦折線と、該縦折線の縦中間部に位置する２本の横折線と、前記取手の各角部から、前記横折線に伸びる４本の傾斜折線を有し、該取手が、前記胴部の前記取手が連設する側の表面に折り重ねた状態で、前記接着片が点状に塗布した接着剤により前記胴部に剥離自在に接着しており、使用する場合に、前記接着片をカップの胴部材から剥がし、前記取手を前記折線を介して立体形状に組立可能であることを特徴とする取手付紙カップである。
【０００８】
本発明は、胴部材の側部同士を、重ね接着して筒状胴部を形成し、該胴部下部に底部材を取り付ける工程を有する紙カップの製造方法において、扇型胴部材の一方側辺に、先端に折線を介して接着片を有する取手であって、該取手は、内部に２本の縦折線と、該縦折線の縦中間部に位置する２本の横折線と、前記取手の各角部から、前記横折線に伸びる４本の傾斜折線を有する取手を連設した取手付胴部材を打ち抜き形成し、前記取手を前記胴部材表面に折り重ね、前記接着片を点状に塗布した接着剤により前記胴部材に剥離自在に接着し、使用する場合に、前記接着片をカップの胴部材から剥がし、前記取手を前記折線を介して立体形状に組立可能となし、次いで前記取手付胴部材の側部同士を、前記取手が連設する側部が表面に位置するように重ね接着して筒状胴部を形成することを特徴とする取手付紙カップの製造方法である。
【０００９】
【作用】
本発明取手付紙カップは、以下の方法で製造する。扇型ブランクの一方側辺に、先端に接着片を有する取手を起伏自在に連設し、該取手を前記胴部に折り重ねた状態で、前記接着片を前記胴部に剥離自在に接着した胴部材をまず製造する。次いで、該胴部材の側部同士を、通常のカップ製型機を用いて、前記取手が連設する側部が表面に位置するように重ね接着して筒状胴部を形成する。そして、通常のカップと同様に、胴部上部の巻締め加工、胴部下部に底部材を取り付ける加工を経て完成する。
【００１０】
本発明取手付紙カップを使用する場合は以下の手順で行う。カップから取手を、取手自体の構造に応じて起こして使用する。取手自体を起こすものでは、まず、接着片をカップから剥がし、取手を起こし、組立線がある場合はそれに従い組み立て、この組み立てた状態で接着片をカップ胴部に付き当てて完成する。
【００１１】
【発明の実施の形態】
本発明を図面に示す実施例に基ずき詳細に説明する。本発明取手付紙カップは、胴部材１と底部材（図示せず）からなる紙カップと、取手２で構成される。図３に示す胴部材１は扇型の板紙で、内面に熱可塑性樹脂（ポリエチレン、ポリプロピレン等）が積層され、表面には適宜印刷がされる。前記同部材の左側片上部縁（上部の縁巻加工代にはかからない位置）に四角形状の取手２を折線を介して連設する。該取手２の層構成は前記胴部材１と同構成である。取手２は内部に２本の縦折線４と、該縦折線４の縦中間部に位置する２本の横折線５と、前記取手２の各角部から、前記横折線に伸びる４本の傾斜折線６を有する。取手２の左側に折線を介して接着片３が連設する。
【００１２】
前記取手付胴部材を次に図４に示すよう、取手２を胴部材１の表面に折り重ね、接着片３を剥離可能な状態で胴部材に接着する。剥離可能な接着としては、接着剤を点状に塗布する手段を採用できる。
【００１３】
この状態の取手付胴部材を、周知のカップ成型機にかけ、胴部材１の側部同士を、取手２が連設した左側部が表面に位置するように重ね接着して筒状胴部を形成する。次に通常のカップ成型と同じ工程を経て胴部上部の巻締め加工、胴部下部に底部材を取り付ける加工を行い、図１に示す取手付紙カップが完成する。
【００１４】
前記取手付紙カップを使用する場合は、まず接着片３をカップの胴部材１から剥がし、取手２を起こす。そして、取手２の両側をつまみ、内部の縦折線４を介して取手２を２つ折り状態にする。次いで、取手２の上下部をつまみ、内部の縦折線４、横折線５斜め折線６を介して内方水平状態に形成する。最後に接着片３を折り曲げカップの胴部材１に当接させる（接着はしない）ことで、図２に示す取手２を組み立てる。この状態で取手２を手で持って使用する。本実施例取手構成は取手を立体構造としたため手で持ちやすく、かつ、強度的に強いものとなる。さらに、接着片をカップ胴部に当接させるため、取手の強度はさらに強いものとなる。
【００１５】
なお、本発明取手付紙カップは、即席麺、即席スープ、即席みそ汁等の食品を予め内部に収納しておき、シート状の蓋材で封緘することもできる。そして、飲食時にカップ内で食品を熱湯で調理し、取手を組み立てて使用することで断熱効果を発揮する。
【００１８】
【発明の効果】
本発明は、取手をカップの胴部材と一体に設ける構成としながら、取手を胴部材に重ねて接着したため、通常の紙カップの胴部成形方法をそのまま使用することができる。また、前記構成としたため、本発明取手付紙カップは製造時、使用時においても取手が胴部材から外方へ突出しないため、胴部材の寸法範囲内で、取手の巾を広く設定することが可能であり、これにより、取手を立体構造に組み立て、より持ちやすい構造とすることも可能とする。さらに、取手は使用者が意図的にカップから剥がさないかぎり、取手がカップの胴部材から突出することはなく、カップの胴部表面に重なっているため、積重収納も通常のカップと同様に行える。
【図面の簡単な説明】
【図１】  本発明取手付紙カップの一実施例の使用前の状態を示す斜視図である。
【図２】  本発明取手付紙カップの一実施例の使用時の状態を示す斜視図である。
【図３】  本発明取手付紙カップの一実施例の胴部材の展開状態を示す平面図である。
【図４】  本発明取手付紙カップの一実施例の胴部材の組立状態を示す平面図である。
【符号の説明】
１・・・・・胴部材
２・・・・・取手
３・・・・・接着片
【図１】
0004120042.tif 000002
【図２】
0004120042.tif 000003
【図３】
0004120042.tif 000004
【図４】
0004120042.tif 000005